(57)【要約】【課題】  複合機能の製品がドアに設置された冷蔵庫において、複合機能の製品とドアとの間で発生する水分を円滑に取り除く複合機能の製品を搭載した冷蔵庫の排水構造を提供すること。【解決手段】  本発明による複合機能の製品を搭載した冷蔵庫の排水構造は、テレビ４０を取り付けるために、冷蔵庫ドア２３の前面の一方の側には、取り付け空間３１が設けられる。また、前記取り付け空間３１の内面３１ｉには、その一部が後方に窪む複数の凹溝３２が設けられる。前記凹溝３２は、水滴が前記内面３１ｉに沿って下方に流れ下ることを防止する。また、前記凹溝３２を含む前記内面３１ｉには、複数の畝３３が設けられる。前記畝３３は、不規則な形状に設けられ、水滴の大きさを減少させることを特徴とする。【選択図】      図３
2005195322.tif 000002
【特許請求の範囲】
【請求項１】
冷蔵庫本体の内部に設けられる貯蔵空間がドアにより開閉され、前記ドアに複合機能の製品が備えられる冷蔵庫の排水構造において、
前記ドアの前面の一方の側に設けられ、且つ前記複合機能の製品が取り付けられる取り付け空間と、
前記取り付け空間の内面の一部が後方に窪み、且つ重力方向に垂直な方向に長く延長して設けられる複数の凹溝とを備えることを特徴とする複合機能の製品を搭載した冷蔵庫の排水構造。
【請求項２】
前記凹溝は、所定の幅や深さを有して一直線に長く延在して設けられ、重力方向に所定の間隔を有するように複数配置されることを特徴とする請求項１に記載の複合機能の製品を搭載した冷蔵庫の排水構造。
【請求項３】
前記取り付け空間の内面には、不規則な線状に複数の畝が設けられることを特徴とする請求項２に記載の複合機能の製品を搭載した冷蔵庫の排水構造。
【請求項４】
前記取り付け空間の底面は、水平面に対し所定の角度で冷蔵庫の前方に向いて下向きに傾斜して設けられることを特徴とする請求項３に記載の複合機能の製品を搭載した冷蔵庫の排水構造。
【請求項５】
前記取り付け空間の底面には、前記複合機能の製品に接続されるリードワイヤが引き出されるワイヤ引き出し口を遮蔽する遮蔽ダクトがさらに設けられることを特徴とする請求項４に記載の複合機能の製品を搭載した冷蔵庫の排水構造。
【請求項６】
前記遮蔽ダクトは、前記遮蔽ダクトの前面が垂直上方やドアの前方に向いて開口される六面体形状に設けられることを特徴とする請求項５に記載の複合機能の製品を搭載した冷蔵庫の排水構造。
【請求項７】
前記遮蔽ダクトの両側壁には、リードワイヤが係止されるワイヤガイド溝がさらに設けられることを特徴とする請求項６に記載の複合機能の製品を搭載した冷蔵庫の排水構造。
【請求項８】
前記複合機能の製品の前面板の縁部に沿って水滴を案内する排水チャンネルが設けられることを特徴とする請求項１に記載の複合機能の製品を搭載した冷蔵庫の排水構造。
【請求項９】
冷蔵庫本体の内部に設けられる貯蔵空間がドアにより開閉される冷蔵庫の排水構造において、
前記ドアの前面の一方の側に設けられ、且つドアの前方に開口するように内部に取り付け空間が設けられる収納ボックスと、
前記収納ボックスの取り付け空間に取り付けられ、且つ前面縁部を形成する前面板とを備える複合機能の製品を備え、
前記取り付け空間の内面の一部が後方に窪み、且つ重力方向に垂直な方向に複数の凹溝が長く設けられ、
前記取り付け空間の下端には、底面が前記取り付け空間の前方に向いて下向きに傾斜して設けられることを特徴とする複合機能の製品を搭載した冷蔵庫の排水構造。
【請求項１０】
前記複合機能の製品の後端には、前記収納ボックスの縁部への取り付けのための取り付けブラケットが設けられ、前記複合機能の製品の前面板の縁部や前記収納ボックスの縁部を遮蔽する遮蔽フレームが前記複合機能の製品の前面縁部に取り付けられることを特徴とする請求項９に記載の複合機能の製品を搭載した冷蔵庫の排水構造。
【請求項１１】
前記凹溝は、所定の幅や深さを有して一直線に長く設けられ、重力方向に所定の間隔を有するように複数配置されることを特徴とする請求項１０に記載の複合機能の製品を搭載した冷蔵庫の排水構造。
【請求項１２】
前記取り付け空間の内面には、不規則な線状に複数の畝が設けられることを特徴とする請求項１１に記載の複合機能の製品を搭載した冷蔵庫の排水構造。
【請求項１３】
前記取り付け空間の底面には、前記複合機能の製品に接続されるリードワイヤが引き出されるワイヤ引き出し口を遮蔽する遮蔽ダクトがさらに設けられることを特徴とする請求項１０に記載の複合機能の製品を搭載した冷蔵庫の排水構造。
【請求項１４】
前記遮蔽ダクトは、前記遮蔽ダクトの前面が垂直上方やドアの前方に向いて開口する六面体形状に設けられることを特徴とする請求項１３に記載の複合機能の製品を搭載した冷蔵庫の排水構造。
【請求項１５】
前記遮蔽ダクトの両側壁には、リードワイヤが係止されるワイヤガイド溝がさらに設けられることを特徴とする請求項１４に記載の複合機能の製品を搭載した冷蔵庫の排水構造。
【請求項１６】
前記複合機能の製品の前面板の縁部に沿って水滴を案内する排水チャンネルが設けられることを特徴とする請求項１０に記載の複合機能の製品を搭載した冷蔵庫の排水構造。
【請求項１７】
冷蔵庫本体の内部に設けられる貯蔵空間がドアにより開閉される冷蔵庫の排水構造において、
前記ドアの前面の一方の側に設けられ、且つドアの前方に開口するように内部に取り付け空間が設けられる収納ボックスと、
前記収納ボックスの取り付け空間に取り付けられ、且つ前面縁部を形成する前面板とを備える複合機能の製品を備え、
前記取り付け空間の内面の一部が後方に窪み、且つ重力方向に垂直な方向に複数の凹溝が長く設けられ、
前記取り付け空間の内面には、不規則な線状に複数の畝が設けられることを特徴とする複合機能の製品を搭載した冷蔵庫の排水構造。
【請求項１８】
前記取り付け空間の下端には、底面が前記取り付け空間の前方に向いて下向きに傾斜して設けられ、前記底面には、前記複合機能の製品に接続されるリードワイヤが引き出されるワイヤ引き出し口を遮蔽する遮蔽ダクトがさらに設けられることを特徴とする請求項１７に記載の複合機能の製品を搭載した冷蔵庫の排水構造。
【請求項１９】
前記遮蔽ダクトは、前記遮蔽ダクトの前面が垂直上方やドアの前方に向いて開口する六面体形状に設けられ、前記遮蔽ダクトの両側壁には、リードワイヤが係止されるワイヤガイド溝がさらに設けられることを特徴とする請求項１８に記載の複合機能の製品を搭載した冷蔵庫の排水構造。
【請求項２０】
前記複合機能の製品の後端には、前記収納ボックスの縁部への取り付けのための取り付けブラケットが設けられ、前記複合機能の製品の前面板の縁部や前記収納ボックスの縁部を遮蔽する遮蔽フレームが前記複合機能の製品の前面縁部に取り付けられることを特徴とする請求項１８に記載の複合機能の製品を搭載した冷蔵庫の排水構造。
【請求項２１】
前記凹溝は、所定の幅や深さを有して一直線に長く設けられ、重力方向に所定の間隔を有するように複数配置されることを特徴とする請求項１７に記載の複合機能の製品を搭載した冷蔵庫の排水構造。
【請求項２２】
前記複合機能の製品の前面板の縁部に沿って水滴を案内する排水チャンネルが設けられることを特徴とする請求項１７に記載の複合機能の製品を搭載した冷蔵庫の排水構造。
【発明の詳細な説明】
【技術分野】
【０００１】
本発明は、冷蔵庫に関し、より詳しくは、複合機能の製品を搭載した冷蔵庫の排水構造に関する。
【背景技術】
【０００２】
最近は、ドアに各種の複合機能が搭載される冷蔵庫が市販されている。このような複合機能の製品としては、テレビ、オーディオ、コンピュータ、モニタなどがあるが、本発明では、テレビを例として説明する。テレビは、電波で伝達される映像信号及び音声信号を再生してテレビ放送を提供するもので、図１には、テレビが取り付けられた一般的な冷蔵庫を示している。
【０００３】
図示するように、冷蔵庫の本体１０には、冷凍室ドア１１と冷蔵室ドア１３とがそれぞれ設けられる。前記ドア１１、１３は、前記本体１０の内部に設けられる冷凍室と冷蔵室とを選択的に開閉する。前記冷凍室ドア１１には、外部に水及び氷を供給するためのディスペンサ１５が設けられ、前記冷蔵室ドア１３には、複合機能の製品としてテレビ１７が設置される。
【０００４】
前記テレビ１７は、電波で伝達される映像信号及び音声信号を受信し、映像と音声とで外部に伝達することにより、ユーザがテレビ放送を視聴できるようにする。前記テレビ１７の前面板１８には、開口部１８ａが設けられるので、画面１９が外部から目視することができる。前記前面板１８には、冷却孔またはスピーカー孔の役割を有する複数の連通孔１８ｂが穿孔される。
【０００５】
しかし、このような構成となる従来の技術による複合機能の製品を搭載した冷蔵庫には、次のような問題点があった。
【０００６】
すなわち、前記テレビ１７は、動作しながら所定の熱を発散する。よって、前記テレビ１７に隣接する前記冷蔵室ドア１３の外部は、温度が上昇し、常温に比べ相対的に高温となる。そして、食べ物の保管のために、貯蔵空間の内部は、常温よりも低い低温状態となる。すなわち、前記テレビ１７が設置される前記冷蔵室ドア１３の内外部間では温度差が発生する。
【０００７】
従って、前記テレビ１７の背面と対向する前記冷蔵室ドア１３の前面には、水分が凝縮することになる。そして、このような水分は、一定の大きさで凝縮し、自重により下方に流れ下りながら、前記テレビ１７の内部または前記テレビ１７に接続されるリードワイヤ（図示せず）が引き出される部分に流入することで、製品の誤作動を招くこともある。
【０００８】
また、一般に、冷蔵庫は、水の使用が頻繁な台所に設置される。よって、台所の仕事中や冷蔵庫を掃除する過程で水滴が飛び、前記前面板１８と画面１９との間の隙間または前記連通孔１８ｂを通して前記テレビ１７の内部に流入し、テレビ１７の故障や誤動作を招く恐れがあるという問題があった。
【発明の開示】
【発明が解決しようとする課題】
【０００９】
本発明は、上記問題点に鑑みなされたものであり、複合機能の製品がドアに設置された冷蔵庫において、複合機能の製品とドアとの間で発生する水分を円滑に取り除くことができる複合機能の製品を搭載した冷蔵庫の排水構造を提供することを目的とする。
【００１０】
また、本発明は、冷蔵庫の外部から複合機能の製品に水分が伝達されることを効果的に遮断することをさらに目的とする。
【課題を解決するための手段】
【００１１】
上記の目的を達成するため、本発明による複合機能を搭載した冷蔵庫の排水構造は、本体の内部に設けられる貯蔵空間がドアにより開閉され、前記ドアに複合機能の製品が備えられる冷蔵庫の排水構造において、前記ドアの前面の一側に設けられ、且つ前記複合機能の製品が取り付けられる取り付け空間と、前記取り付け空間の内面の一部が後方に窪み、且つ重力方向に垂直な方向に長く設けられる複数の凹溝とを備えることを特徴とする。
【００１２】
また、前記凹溝は、所定の幅や深さを有して一直線に長く設けられ、且つ重力方向に所定の間隔を有するように複数配置されることを特徴とする。
【００１３】
また、前記取り付け空間の内面には、不規則な線状に複数の畝が設けられることを特徴とする。
【００１４】
また、前記取り付け空間の底面は、水平面に対し所定の角度で冷蔵庫の前方に向いて下向きに傾斜して設けられることを特徴とする。
【００１５】
また、前記取り付け空間の底面には、前記複合機能の製品に接続されるリードワイヤが引き出されるワイヤ引き出し口を遮蔽する遮蔽ダクトがさらに設けられることを特徴とする。
【００１６】
また、前記遮蔽ダクトは、その前面が垂直上方やドアの前方に向いて開口されるほぼ六面体形状に設けられることを特徴とする。
【００１７】
また、前記遮蔽ダクトの両側壁には、リードワイヤが係止されるワイヤガイド溝がさらに設けられることを特徴とする。
【００１８】
また、前記複合機能の製品の前面板の縁部に沿って水滴を案内する排水チャンネルが設けられることを特徴とする。
【００１９】
また、 本発明による複合機能の製品を搭載した冷蔵庫の排水構造は、冷蔵庫本体の内部に設けられる貯蔵空間がドアにより開閉される冷蔵庫の排水構造において、前記ドアの前面の一方の側に設けられ、且つドアの前方に開口するように内部に取り付け空間が設けられる収納ボックスと、
前記収納ボックスの取り付け空間に取り付けられて、前面縁部を形成する前面板とを備える複合機能の製品を備え、且つ前記取り付け空間の内面の一部が後方に窪んで、重力方向に垂直な方向に複数の凹溝が長く設けられ、且つ前記取り付け空間の下端には、底面が前記取り付け空間の前方に向いて下向きに傾斜して設けられることを特徴とする。
【００２０】
また、前記複合機能の製品の後端には、前記収納ボックスの縁部への取り付けのための取り付けブラケットが設けられ、前記複合機能の製品の前面板の縁部や前記収納ボックスの縁部を遮蔽する遮蔽フレームが前記複合機能の製品の前面縁部に取り付けられることを特徴とする。
【００２１】
また、前記凹溝は、所定の幅や深さを有して一直線に長く設けられ、重力方向に所定の間隔を有するように複数配置されることを特徴とする。
【００２２】
また、前記取り付け空間の内面には、不規則な線状に複数の畝が設けられることを特徴とする。
【００２３】
また、前記取り付け空間の底面には、前記複合機能の製品に接続されるリードワイヤが引き出されるワイヤ引き出し口を遮蔽する遮蔽ダクトがさらに設けられることを特徴とする。
【００２４】
また、前記遮蔽ダクトは、その前面が垂直上方やドアの前方に向いて開口するほぼ六面体形状に設けられることを特徴とする。
【００２５】
また、前記遮蔽ダクトの両側壁には、リードワイヤが係止されるワイヤガイド溝がさらに設けられることを特徴とする。
【００２６】
また、前記複合機能の製品の前面板の縁部に沿って水滴を案内する排水チャンネルが設けられることを特徴とする。
【００２７】
また、本発明による複合機能を搭載した冷蔵庫の排水構造は、冷蔵庫本体の内部に設けられる貯蔵空間がドアにより開閉される冷蔵庫の排水構造において、前記ドアの前面の一方の側に設けられ、ドアの前方に開口するように内部に取り付け空間が設けられる収納ボックスと、前記収納ボックスの取り付け空間に取り付けられ、前面縁部を形成する前面板とを備える複合機能の製品を備え、前記取り付け空間の内面の一部が後方に窪み、重力方向に垂直な方向に複数の凹溝が長く設けられ、前記取り付け空間の内面には、不規則な線状に複数の畝が設けられることを特徴とする。
【００２８】
また、前記取り付け空間の下端には、底面が前記取り付け空間の前方に向いて下向きに傾斜して設けられ、前記底面には、前記複合機能の製品に接続されるリードワイヤが引き出されるワイヤ引き出し口を遮蔽する遮蔽ダクトがさらに設けられることを特徴とする。
【００２９】
また、前記遮蔽ダクトは、その前面が垂直上方やドアの前方に向いて開口するほぼ六面体形状に設けられ、前記遮蔽ダクトの両側壁には、リードワイヤが係止されるワイヤガイド溝がさらに設けられることを特徴とする。
【００３０】
また、前記複合機能の製品の後端には、前記収納ボックスの縁部への取り付けのための取り付けブラケットが設けられ、前記複合機能の製品の前面板の縁部や前記収納ボックスの縁部を遮蔽する遮蔽フレームが前記複合機能の製品の前面縁部に取り付けられることを特徴とする。
【００３１】
また、前記凹溝は、所定の幅や深さを有して一直線に長く設けられ、重力方向に所定の間隔を有するように複数配置されることを特徴とする。
【００３２】
また、前記複合機能の製品の前面板の縁部に沿って水滴を案内する排水チャンネルが設けられることを特徴とする。
【発明の効果】
【００３３】
このような本発明による複合機能を搭載した冷蔵庫の排水構造によれば、次のような効果が期待される。
【００３４】
先ず、複合機能の製品が取り付けられる取り付け空間の内部の水分は、前記複合機能の製品の動作中に発生する熱により蒸発して、外部に排出される。よって、水分により複合機能の製品が損傷したり、誤動作したりすることを予め防止することができる。
【００３５】
そして、冷蔵庫は、水分が多い台所などで使用されており、複合機能の製品の外観に水滴が飛んで付いても、複合機能の製品の内部に伝達されることが遮断されるため、複合機能の製品の損傷や誤動作を防止することができる。
【発明を実施するための最良の形態】
【００３６】
以下、本発明の好ましい実施の形態を、添付図面に基づいて詳しく説明する。
【００３７】
図２は、本発明による排水構造の好ましい実施例が備えられた冷蔵庫を示す斜視図であり、図３及び図４には、図２に示す実施例の要部構成や収納空間をそれぞれ示しており、図２に示す実施例の要部構成と収納空間とをそれぞれ示しており、図５及び図６には、図４のＡ-Ａ′線断面及びＢ-Ｂ′線断面をそれぞれ示している。
【００３８】
図示するように、冷蔵庫本体２０の前面の両端には、冷凍室ドア２１と冷蔵室ドア２３とが設けられる。前記冷凍室ドア２１と冷蔵室ドア２３とは、それぞれ前記本体２０の両端側部を中心として、それらのドアの先端が冷蔵庫の前方に回動可能に取り付けられる。前記冷凍室ドア２１と冷蔵室ドア２３とは、前記本体２０の内部に設けられる貯蔵空間の冷凍室と冷蔵室とを選択的に開閉する。
【００３９】
前記冷凍室ドア２１の前面の一方の側には、ディスペンサ２５が設けられる。前記ディスペンサ２５は、前記本体２０の外部から水や氷を取り出すことができるようになっている。前記冷蔵室ドア２３の前面には、ユーザがテレビ放送を視聴できるようにする複合機能の製品であるテレビ４０が取り付けられる。
【００４０】
前記テレビ４０の取り付けのために、前記冷蔵室ドア２３(以下、「ドア」と称する)の前面の一側部には、取り付け空間３１が設けられる。前記取り付け空間３１は、前記ドア２３と別に作製される収納ボックス３０の内部である。すなわち、前記収納ボックス３０の内部には、上下高さ及び左右長さに比べその前後幅が相対的に短く、且つ前面が開口する取り付け空間３１が設けられる。前記収納ボックス３０は、前記ドア２３の前面の一部が内部に窪んだ部分に取り付けられる。
【００４１】
前記取り付け空間３１の内面３１ｉには、複数の凹溝３２が重力方向に垂直な方向、すなわちドア２３の正面から見て、左右方向に長く延在するようにして設けられる。前記凹溝３２は、前記内面３１ｉにつく水滴が下方に流れ下ることを防止する。すなわち、前記内面３１ｉに沿って流れ下る水滴は、前記凹溝３２にかかりそれ以上下方に流れ下らなくなる。かつ、前記凹溝３２にかかった水滴は、前記凹溝３２の一面に沿って左右に広がることになる。
【００４２】
前記凹溝３２は、前記内面３１ｉが凹状に窪んで設けられる。図４に示すように、前記凹溝３２は、前記内面３１ｉに所定の上下幅を有して左右に長く凹状に設けられる。前記凹溝３２は、上下方向に所定の間隔で複数配置される。
【００４３】
図５に示すように、前記凹溝３２の上下幅Ｘ及びその直上方または直下方に設けられる凹溝と凹溝との間隔Ｙは、ほぼそれぞれ１０mm内外に設けられても良い。また、前記凹溝３２が窪む深さＺは、ほぼ０.５mmであっても良い。しかし、このような前記凹溝３２の大きさは、前記取り付け空間３１の全体的な大きさや形状などによって適切な値で決定されても良い。
【００４４】
また、前記凹溝３２を含む前記内面３１ｉには、複数の畝３３が設けられる。前記畝３３は、不規則な線状に設けられるものであり、図４及び図５に拡大して示すように、前記凹溝３２の上下幅及び深さに比べ著しく小さく微小な値で設けられる。
【００４５】
前記畝３３は、前記内面３１ｉの表面積を増大させる役割を有する。そして、このような微小な幅や高さで設けられる前記畝３３には、前記内面３１ｉにつく水滴が毛細管現象により染み込み、水滴の大きさが相対的に減少することになる。つまり、水自体の凝集力よりも水の収納ボックス３０の内面３１ｉに対する付着力が大きくなるようにする。さらに、前記収納ボックス３０の内面３１ｉを形成する材質を水との付着力が大きいものにしても良い。
【００４６】
前記取り付け空間３１の底面３１ｂのほぼ中央部には、ワイヤ引き出し口３４が設けられる。前記ワイヤ引き出し口３４は、リードワイヤ（図示せず）の引き出しのためのものである。前記リードワイヤは、外部電源及び各種の電気的信号を供給している。かつ、前記リードワイヤは、前記ワイヤ引き出し口３４を通して引き出され、前記テレビ４０に接続される。
【００４７】
前記取り付け空間３１の底面３１ｂは、水平面に対して所定の角度で下向きに傾斜して設けられる。すなわち、その先端がその後端に比べ相対的に低く設けられる。これは、前記凹溝３２にかかったり前記畝３３に染み込まれたりすることなく、下方に流れ下る水滴が前記底面３１ｂに溜まりながら前記ワイヤ引き出し口３４に流入することを防止するためのものである。
【００４８】
また、前記ワイヤ引き出し口３４に隣接する前記底面３１ｂには、遮蔽ダクト３５が設けられる。前記遮蔽ダクト３５は、水滴が前記ワイヤ引き出し口３４に流入することを防止している。前記遮蔽ユニット３５は、前面が開口される六面体形状に設けられる。
【００４９】
そして、図６に示すように、前記遮蔽ダクト３５の両側壁先端には、ワイヤガイド溝３５′が設けられる。前記ワイヤガイド溝３５′は、前記遮蔽ダクト３５の側壁の一部が切開されることで設けられる。前記ワイヤガイド溝３５′には、前記ワイヤ引き出し口３４を通して引き出されたリードワイヤが係止される。
【００５０】
一方、前記収納ボックス３０の上端には、一対の取り付け穴３６が設けられる。そして、前記取り付け空間３１の底面３１ｂの先端には、係止突起３７と係止フック３８とが設けられる。前記係止突起３７の一方には、一対の係止フック３８が設けられる。前記取り付け穴３６、係止突起３７、及び係止フック３８は、後述する取り付けブラケット４６を固定するためのものである。
【００５１】
前記係止突起３７は、前記取り付け空間３１の底面３１ｂの先端から上方に突出するように設けられる。前記係止フック３８は、左右に所定の間隔だけ互いに離隔される対で構成される。前記係止フック３８は、前記係止突起３７から所定の距離だけ離隔された位置で上方に突出しており、その先端が再び前方に延びている。
【００５２】
また、前記係止フック３８は、前記取り付け空間３１の内側面からも所定の距離だけ離隔される。これは、前記テレビ４０と内面３１ｉとの間に、所定の間隔を保ち、テレビ４０の動作中に発生する熱が前記取り付け空間３１が設けられる前記ドア２３の内部に伝達されることを防止すると共に、テレビの冷却及び前記取り付け空間３１につく水滴の蒸発のための空間を確保するためである。
【００５３】
そして、前記収納ボックス３０の上下端及び両側端には、複数の挿入穴３９が設けられる。前記挿入穴３９には、後述する遮蔽フレーム４９の取り付けフック（図示せず）が挿入されることにより、遮蔽フレーム４９が固定される。
【００５４】
前記テレビ４０の前面板４１には、前面開口部４２と連通孔４３とが設けられる。前記前面開口部４２を通して画面４５が外部に露出される。前記連通孔４３は、前記取り付け空間３１の内外部を連通させるものであり、前記前面板４１の上端や両側に複数穿孔される。
【００５５】
前記テレビ４０の背面には、取り付けブラケット４６が固定される。前記取り付けブラケット４６は、前記テレビ４０を前記取り付け空間３１に取り付けるためのものであり、前記テレビ４０の上下端及び両端から外側に延びている。前記取り付けブラケット４６の上端には、前記取り付け空間３１の取り付け穴３６に対応する取り付け穴４７が設けられる。かつ、前記取り付けブラケット４６の取り付け穴４７を貫通したスクリューＳが前記取り付け空間３１の取り付け穴３６にねじ込まれる。
【００５６】
前記取り付けブラケット４６の下端は、前記係止突起３７と係止フック３８とにより係止される。すなわち、前記取り付けブラケット４６の下端部の前面は、前記係止突起３７の背面に密着される。かつ、前記取り付けブラケット４６の下端部の背面は、前記係止フック３８の前面に密着される。
【００５７】
また、前記取り付けブラケット４６の上下端及び両側には、貫通穴４８が設けられる。前記貫通穴４８は、前記収納ボックス３０の挿入穴３９に対応する位置に設けられる。かつ、前記挿入穴３９に挿入される遮蔽フレーム４９の取り付けフックが前記貫通穴４８を貫通することになる。
【００５８】
前記収納ボックス３０の前面縁部には、前記取り付けブラケット４６を遮蔽するために、遮蔽フレーム４９が設けられる。前記遮蔽フレーム４９には、開口部４９′が設けられるが、前記開口部４９′は、前記画面４５と前面板４１とがほぼ露出される大きさで設けられる。
【００５９】
前記遮蔽フレーム４９の背面の上下端及び両側には、複数の取り付けフック(図示せず)が設けられる。前記取り付けフックは、前記遮蔽フレーム４９を前記収納ボックス３０に固定する。前記取り付けフックは、前記取り付けブラケット４６の貫通穴４８を貫通し、前記収納ボックス３０の挿入穴３９に挿入して固定される。
【００６０】
次に、本発明の好ましい実施例について説明する。
【００６１】
先ず、テレビ４０を取り付け空間３１に取り付ける過程について説明する。
【００６２】
冷蔵庫ドア２３の前面の一部がその内部に窪み、このような窪み部に収納ボックス３０が設けられる。この時、前記ドア２３の内部に発泡された充填液が固化するので、前記ドア２３内で充填液の体積が膨張することになる。この膨張によって、前記収納ボックス３０が設けられた前記ドア２３の窪み部が相対的に減少することにより、前記収納ボックス３０が前記ドア２３の前面に固定される。
【００６３】
さらに、背面の取り付けブラケット４６により固定されることによりテレビ４０が前記収納ボックス３０の取り付け空間３１に取り付けられる。このとき、前記取り付けブラケット４６の下端部の両側は、前記取り付け空間３１の係止突起３７と係止フック３８とにより固定される。また、前記取り付けブラケット４６の取り付け穴４７を貫通したスクリューＳが前記取り付け空間３１の取り付け穴３６にねじ込まれる。
【００６４】
このような状態で、前記収納ボックス３０の挿入穴３９に遮蔽フレーム４９の取り付けフックを挿入する。これによって、前記収納ボックス３０の外側端部と、前記テレビ４０の外側端部に該当する前記取り付けブラケット４６とが、前記遮蔽フレーム４９により外部から遮蔽される。
【００６５】
一方、前記取り付け空間３１の底面３１ｂに設けられるワイヤ引き出し口３４を通して前記テレビ４０に接続されるリードワイヤが引き出される。このようなリードワイヤは、遮蔽ダクト３５のワイヤガイド溝３５′に係止される。よって、リードワイヤがその自重により下方に垂れ下がることにより、前記テレビ４０との接続が損なわれたり、あるいは、リードワイヤ自体が損傷する現象が防止される。
【００６６】
次に、前記テレビ４０の動作過程について説明する。
【００６７】
前記テレビ４０は、電波で伝達される映像信号及び音声信号を受信してテレビ放送を再生する。このように、前記テレビ４０が動作すると、前記テレビ４０を構成する各種の電気的部品から熱が発生することになる。
【００６８】
従って、前記テレビ４０が取り付けられる前記取り付け空間３１の内部の温度は増加し、室温よりも相対的に高温となる。これに対して、冷蔵庫内部の貯蔵空間は、食品の貯蔵のために低温状態を保つ。よって、前記取り付け空間３１と貯蔵空間との間の温度差により湿気が発生することもある。かつ、このような湿気が前記取り付け空間３１の内面３１ｉについて水滴を形成し、その自重により前記内面３１ｉに沿って下方に流れ下ることになる。
【００６９】
ところが、前記内面３１ｉには、複数の凹溝３２が設けられる。よって、前記内面３１ｉに沿って重力方向に流れ下る水滴は、前記凹溝３２に滴り落ることになる。すなわち、水滴がそれ以上下方に流れ下らないように、前記凹溝３２に滴り落るが、前記凹溝３２に滴り落た水滴は、凹溝３２に沿って左右に広がることになる。
【００７０】
また、前記内面３１ｉには、複数の畝３３が設けられる。よって、前記内面３１ｉに沿って流れ下る水滴または前記凹溝３２に滴り落た水滴は、毛細管現象により前記畝３３の内部に染み込むことになる。よって、水滴の大きさが小さくなることにより、水滴がその自重により下方に流れ下る現象がさらに減少する。
【００７１】
上述のように、前記テレビ４０の動作中には所定の熱が発生する。よって、前記畝３３に一部が染み込んだ水滴は、水滴の大きさが相対的に小さくなり、水が内面３１ｉに均一に広がり、水滴が前記テレビ４０の熱により蒸発することになる。このように、水滴が前記取り付け空間３１の内部で凝縮して大きさが大きくなるよりも、内面３１ｉに広く広がり、水滴がより効率的に蒸発できるようになる。
【００７２】
一方、水滴が蒸発することにより、前記取り付け空間３１の内部空気は、水分を含有することになる。そして、前記テレビ４０の前面に設けられる複数の連通孔４３を通して前記取り付け空間３１の内部空気が外部に排気される。すなわち、前記取り付け空間３１に生成される水分は、水蒸気状態となって取り付け空間３１の内部空気と共に外部に排出される。
【００７３】
前記凹溝３２または畝３３に付いたり、染み込まなかったりした水滴は、自重により前記取り付け空間３１の内面３１ｉに沿って下方に流れ下る。ところで、前記取り付け空間３１の底面３１ｂは、冷蔵庫の前方に向いて下向きに傾斜して設けられる。よって、前記内面３１ｉに沿って流れ下る水滴は、前記底面３１ｂを通り過ぎて前記取り付け空間３１の外部に排出される。
【００７４】
このとき、前記底面３１ｂに設けられるワイヤ引き出し口３４は、遮蔽ダクト３５により上部や両側が遮蔽された状態である。よって、上述のように、前記底面３１ｂを過ぎて排出される水滴が前記遮蔽ダクト３５により前記ワイヤ引き出し口３４に流入することはなくなる。
【００７５】
また、前記遮蔽ダクト３５の両側壁には、ワイヤガイド溝３５′が設けられており、ワイヤが係止され、前記底面３１ｂなどに接触することはなくなる。よって、ワイヤと水との接触が遮断される。
【００７６】
次に、図７を参照して本発明の他の実施例を説明する。図７は、本発明の別の実施例の構成を示す分解斜視図である。
【００７７】
図示するように、冷蔵庫本体１２０の内部には、貯蔵空間である冷凍室と冷蔵室とが設けられ、前記冷凍室と冷蔵室とは、それぞれ冷凍室ドア１２１と冷蔵室ドア１２３とによりそれぞれ選択的に開閉される。前記冷凍室ドア１２１の前面の一側面には、外部から水及び氷を取り出すことができるようにするディスペンサ１２５が設けられる。
【００７８】
前記冷蔵室ドア１２３(以下、「ドア」と称する)の前面には、所定の取り付け空間１３１が設けられる。前記取り付け空間１３１は、後述するテレビ１４０を取り付けるためのものであり、上下高さ及び左右長さに比べ、その前後幅が相対的に短いほぼ平たい六面体形状に設けられる。前記取り付け空間１３１は、前述の実施例のように、別の収納ボックスを前記ドア１２３に設けられたり、ドア１２３に直接一体に設けても良い。
【００７９】
前記取り付け空間１３１の底面には、傾斜部１３１ｂが設けられる。前記傾斜部１３１ｂは、前方に向いて下向きに傾斜して設けられるものであり、前記取り付け空間１３１の内部で発生したか、あるいは、外部から取り付け空間１３１に伝達された水滴を取り付け空間１３１の外部に排出するように案内する役割をする。
【００８０】
一方、前記傾斜部１３１ｂの中央に設けられる引き出し穴(図示せず)を貫通してテレビ１４０に電気的信号を供給するためのリードワイヤ(図示せず)が引き出される。前記傾斜部１３１ｂには、前記引き出し穴を取り囲むように遮蔽ダクト１３５が設けられる。前記遮蔽ダクト１３５は、前記引き出し穴に水滴が浸透することを防止するためのもので、前記傾斜部１３１ｂから所定の高さだけ上方に突出している。
【００８１】
前記取り付け空間１３１に取り付けられるテレビ１４０の前面板１４１の中央には、四角状の開口部１４２が設けられ、前記開口部１４２を通してテレビ１４０の画面１４５が露出される。前記開口部１４２の上端及び両側に該当する前記前面板１４１には、冷却孔及びスピーカー孔の役割を有する複数の連通孔１４３が穿孔される。
【００８２】
そして、前記前面板１４１には、排水チャンネル１５０が設けられる。前記排水チャンネル１５０は、前記前面板１４１に沿って流れ下る水滴が前記開口部１４２と画面１４５との間の隙間や前記連通孔１４３を通して前記テレビ１４０の内部に伝達されることを防止している。
【００８３】
図示の実施例においては、前記排水チャンネル１５０が前記前面板１４１の内側縁部に沿って設けられている。すなわち、前記開口部１４２を取り囲むように、前面板１４１に設けられている。しかし、前記排水チャンネル１５０は、前記前面板１４１の外側縁部に沿って設けられても良い。もちろん、前記前面板１４１の内側縁部と外側縁部共に沿って設けられても良い。
【００８４】
一方、前記テレビ１４０の底面には、所定の挿入溝が設けられる。このような挿入溝は、前記遮蔽ダクト１３５に対応する位置に設けられるが、前記遮蔽ダクト１３５とテレビ１４０の底面とが互いに干渉しないようにして、前記テレビ１４０の前記取り付け空間１３１への取り付けが妨害されないようにする。
【００８５】
ちなみに、本実施例においては、テレビ１４０を取り付け空間１３１に固定するための構成が示されていないが、これは、図２に示すような固定するための構成を採用することができる。さらに、遮蔽フレーム４９も採用してテレビ１４０が設置される外観を形成することができる。
【００８６】
ここで、上述のような構成となる本実施例の作用を詳しく説明する。
【００８７】
一般に、冷蔵庫は、水の使用が頻繁な台所に設けられており、ユーザが台所の仕事をしたり、掃除をしたりする過程で前記テレビ１４０の前面板１４１に水滴が飛ぶこともある。このように、前記テレビ１４０の前面板１４１についた水滴は、その自重により下方に流れ下りながら、前記前面板１４１に設けられる排水チャンネル１５０に沿って下部に移動することになる。よって、水滴が前記前面板１４１の開口部１４２と前記画面１４５との間の隙間または前記連通孔１４３を通して前記テレビ１４０の内部に伝達されることを防止することが可能となる。
【００８８】
一方、前記取り付け空間１３１とテレビ１４０との間の隙間を通して水滴が前記取り付け空間１３１の内部に伝達されるか、テレビ１４０の動作による熱により取り付け空間１３１の内部の空気に含有された水分が凝縮されることもある。このように、前記取り付け空間１３１の内部で発生する水滴は、取り付け空間１３１の底面に設けられる傾斜部１３１ｂにより案内されて外部に排出される。
【００８９】
ところで、前記傾斜部１３１ｂの一側には、リードワイヤが貫通する引き出し穴が設けられ、前記引き出し穴を取り囲むように遮蔽ダクト１３５が設けられる。よって、前記傾斜部１３１ｂにより案内される水滴は、前記遮蔽ダクト１３５により前記引き出し穴に伝達されることが遮断される。
【００９０】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００９１】
【図１】図１は、複合機能を搭載した一般的な冷蔵庫の構成を示す正面図である。
【図２】図２は、本発明による排水構造の好ましい実施例が備えられた冷蔵庫を示す分解斜視図である。
【図３】図３は、図２に示す実施例の要部構成を示す分解斜視図である。
【図４】図４は、図２に示す実施例を構成する収納ボックスを示す正面図である。
【図５】図５は、図４のＡ-Ａ′線断面図である。
【図６】図６は、図４のＢ-Ｂ′線断面図である。
【図７】図７は、本発明の他の実施例の構成を示す分解斜視図である。
【符号の説明】
【００９２】
３０    収納ボックス
３１    取り付け空間
３１ｉ    内面
３１ｂ    底面
３２    凹溝
３３    畝
３４    ワイヤ引き出し口
３５    遮蔽ユニット
３５′    ワイヤガイド溝
３６    取り付け穴
３７    係止突起
３８    係止フック
３９    挿入穴
４０    テレビ
４１    前面板
４２    前面開口部
４３    連通孔
４５    画面
４６    取り付けブラケット
４７    取り付け穴
４８    貫通穴
４９    遮蔽フレーム
Ｓ    スクリュー
【図１】
2005195322.tif 000003
【図２】
2005195322.tif 000004
【図３】
2005195322.tif 000005
【図４】
2005195322.tif 000006
【図５】
2005195322.tif 000007
【図６】
2005195322.tif 000008
【図７】
2005195322.tif 000009